(57)【要約】【課題】シートとしての必要限の物理的性能を有しつつ、磁性体機能を最大限に発揮する構造の磁性シートを提供することを目的とする。【解決手段】シートの厚み方向において単一の磁性層２を備え、磁性層２はフェライト焼結体１によって形成され、フェライト焼結体１が磁性層２上下面を同時に形成するように配置し、磁性層２上下面にシート基材３を設けかつフェライト焼結体１に隙間を設け、その隙間をシート基材３により構成し、フェライト焼結体３の隙間を整列配置する。【選択図】図７
2011249850.tif 000002
【特許請求の範囲】
【請求項１】
シートの厚み方向において単一の磁性層を備え、前記磁性層はフェライト焼結体によって形成され、前記フェライト焼結体が前記磁性層上下面を同時に形成するように配置し、前記磁性層上下面にシート基材を設けかつ前記フェライト焼結体に隙間を設け、その隙間を前記シート基材により構成し、前記フェライト焼結体の前記隙間を整列配置したことを特徴とする磁性シート。
【請求項２】
前記隙間が形成するそれぞれの長手方向は、前記磁性シートのそれぞれの端部と平行であることを特徴とする磁性シート。
【発明の詳細な説明】
【技術分野】
【０００１】
本発明は、ＲＦ−ＩＤアンテナ等の磁気シールド用等に好適に用いられる磁性シートに関するものである。
【背景技術】
【０００２】
携帯電話などの無線通信機器において、コスト削減、及び小型化を図るために部品の小型化、高密度実装化が望まれている。また、ノートブック型パソコンなどの携帯型モバイル電子機器においても、無線ＬＡＮなどを用いたデータ通信を行うものが増えており、これらの電子機器内部部品の小型化、高密度実装化が望まれている。
【０００３】
また、これらに用いられる無線通信用アンテナにおいても狭隙間においての付設が要求され、必然的に受発信される電磁波が密接した電子部品や基板、筐体等に与える影響や、あるいは電子部品や基板、筐体等から与えられる影響を防止するための磁性シートが使用されるようになってきている。
【０００４】
従来においては、これらのアンテナもしくはその他電子機器の必要箇所にこの磁性シートを適当な大きさや形状に合わせて切断加工して貼り付ける等の方法で使用されることが多い。（特許文献１）、（特許文献２）に開示がある。
【０００５】
図１０、図１１は従来の技術における磁性シートの断面図であり、図１２は従来の技術における磁性層の平面図である。
【先行技術文献】
【特許文献】
【０００６】
【特許文献１】特開２０００−３４９４９３号公報
【特許文献２】特開２０００−２４４１７１号公報
【発明の概要】
【発明が解決しようとする課題】
【０００７】
しかしながら、従来の磁性シートでは、後付けされる使い勝手の良さから加工性や取付け性を重視し、図１０、図１１の断面図に示すように磁性シート構成のほとんどを柔軟性等の物理的性能を求めたシート基材３で占有するため、磁性機能が十分に発揮されないという問題があった。
【０００８】
図１０の断面図で示す磁性シート６は、定形、あるいは不定形の磁性体粒子１ａをシート基材３の中に分散して構成したものであり、この構成による磁性機能を向上させる方法は、磁性シート６中の磁性体粒子１ａ含有率を増加することで実現するが、磁性粒子１ａの含有率を増加することで、シート基材３の柔軟性等の物理的性能を損なうことや、分散が困難となるため磁性体粒子１ａの凝集密度の隔たりを生じることにより、気孔や亀裂等損傷や、機械的強度劣化や耐候性劣化等の課題があるため、十分に磁性体粒子１ａの含有率を増やせず磁性機能が高められないという問題があった。
【０００９】
図１１の断面図、図１２の平面図で示す磁性シート６は、シート基材３の中の磁性体形状を薄片１ｂとし、磁性体薄片１ｂ同士を重ね合わせる、もしくは密着させて面方向にほとんど隙間なく敷き詰めることで磁性体層２ｂの面密度を高め、磁性機能を向上させている。また、この薄い磁性層２ｂをシート基材３で挟み込んだ構成としたことにより、磁性機能を高めた状態でシート基材３の物理的性能をほとんど損なうことなく構成されている
。
【００１０】
図１０の断面図で示す磁性シート６に対し、図１１の断面図で示す磁性シート６は、磁性体薄片１ｂを層状に集合させているため、シート基材３の中の磁性体含有率をより少なくして、高い磁性機能を有することができるが、更にこの磁性機能を向上させるためには磁性体薄片１ｂで形成される磁性層２ｂを増加しなければならず、同様にシート基材３の柔軟性等の物理的性能を損なうことや、機械的強度劣化や耐候性劣化等の課題があるため、十分に磁性体薄片１ｂの含有率を増やせず磁性機能が高められないという問題があった。
【００１１】
また、これら従来の技術による磁性シートは、磁性粉や磁性片をシート基材原材料と混合し成形して得られるため、磁気性能は磁性体そのものよりも極めて劣化するという問題があった。
【００１２】
本発明は、シートとしての必要限の物理的性能を有しつつ、磁性体機能を最大限に発揮する構造の磁性シートを提供することを目的とする。
【課題を解決するための手段】
【００１３】
本発明は、上記目的を達成するため、シートの厚み方向において単一の磁性層を備え、前記磁性層はフェライト焼結体によって形成され、前記フェライト焼結体が前記磁性層上下面を同時に形成するように配置し、前記磁性層上下面にシート基材を設けかつ前記フェライト焼結体に隙間を設け、その隙間を前記シート基材により構成し、前記フェライト焼結体の前記隙間を整列配置したことを特徴とするものである。
【発明の効果】
【００１４】
本発明では、磁性シートを単一の磁性層であるフェライト焼結体で構成し、しかもこのフェライト焼結体が磁性層上下面を同時に形成するように配置したので、磁性シートの構成範囲においてフェライト焼結体の固片体積を最大限に大きくすることができ、従ってフェライト焼結体の固体性能を最大限に利用することができる。
【００１５】
更に、フェライト焼結体に形成される隙間を整列配置することにより、磁性シートの曲げ、たわみを磁性シートにおいて均一にすることができ、安定した柔軟性の磁性シートを得ることができる。
【図面の簡単な説明】
【００１６】
【図１】本発明の実施の形態における磁性シートの断面図
【図２】本発明の実施の形態における磁性シートの断面図
【図３】本発明の実施の形態における磁性シートの断面図
【図４】本発明の実施の形態における磁性シートの断面図
【図５】本発明の実施の形態における磁性シートの断面図
【図６】本発明の実施の形態における磁性シートの断面図
【図７】本発明の実施の形態における磁性層の斜視図
【図８】本発明の実施の形態における磁性層の斜視図
【図９】本発明の実施の形態における磁性層の斜視図
【図１０】従来の技術における磁性シートの断面図
【図１１】従来の技術における磁性シートの断面図
【図１２】従来の技術における磁性層の平面図
【発明を実施するための形態】
【００１７】
本発明の請求項１に記載の発明は、シートの厚み方向において単一の磁性層を備え、前記磁性層はフェライト焼結体によって形成され、前記フェライト焼結
体が前記磁性層上下面を同時に形成するように配置し、前記磁性層上下面にシート基材を設けかつ前記フェライト焼結体に隙間を設け、その隙間を前記シート基材により構成し、前記フェライト焼結体の前記隙間を整列配置したことを特徴とするものである。
【００１８】
これにより、磁性シートの構成範囲においてフェライト焼結体の固片体積を最大限に大きくすることができ、従ってフェライト焼結体の固体性能を最大限に利用することができる。また、フェライト焼結体に形成される隙間を整列配置することにより磁性シートの曲げ、たわみを磁性シートにおいて均一にすることができ、安定した柔軟性の磁性シートを得ることができる。
【００１９】
本発明の請求項２に記載の発明は、前記隙間が形成するそれぞれの長手方向は、前記磁性シートのそれぞれの端部と平行であることを特徴とするものであり、これにより、磁性シートのサイズに係らず安定した柔軟性を得ることができる。
【００２０】
以下、図面を用いて説明する。
【００２１】
図１、図２、図３、図４、図５、図６はそれぞれ本発明の実施の形態における磁性シートの断面図である。図７、図８、図９はそれぞれ本発明の実施の形態における磁性層の斜視図である。
【００２２】
図１において、１は磁性体、２は磁性層、３はシート基材である。また４ａ、４ｂは磁性層２の上下２面を示す。
【００２３】
また、本発明の実施の形態においては、磁性層２自体は層状ではないが、磁性シート６の上下面７ａ，７ｂ間の磁性範囲を示す表現として磁性層とした。
【００２４】
磁性体１は、フェライトやパーマロイ、センダスト、珪素合板等の金属磁性材料で構成されるところのいずれか単一の固片とする。この磁性体１全ての固片が磁性層２の上下面４ａ，４ｂを同時に形成するように配置したので、磁性シート６に要求される厚み寸法、機械的強度、その他の物理的性能の範囲において磁性体１の最大限の体積を利用することができ、また、磁性体層２全体における磁性体１の比表面積が小さくなるため、シート基材３の量を少なくすることができ、高い磁気性能を得ることができる。
【００２５】
また、図７、図８において示すように、磁性体１を略同一形状としたことで、各々の磁性体１と各々の磁性体の隙間５を整列配置することが可能なため、磁気特性や絶縁特性などの特性や、磁気シートの曲げ、たわみ性等物理的性能や切断等加工性能に対する設計を容易にすることができる。
【００２６】
また、図９においては、磁性層２の一部もしくは複数部を略同一形状の磁性体１ｃの集合部で形成し、異形状の磁性体１ｄ，１ｅの集合部を組み合わせることにより、磁性シート６の標準形状、寸法の種類等の自由度を向上することができる。
【００２７】
図７、図８、図９においては、成形の容易さによって個々の磁性体１形状を角柱や円柱で代表して示したが、その他三角柱、多角柱、もしくは角錐、円錐、球、あるいは針状であってもよく、また逆に、磁性体１の成形工数を削減するために不定形状の磁性体１を配置してもよい。
【００２８】
図１〜図５において、磁性体１とシート基材３の構成例を示す。
【００２９】
図１においては、磁性体１がシート基材３に埋設された構成を示している。ここにおいても磁性層２を単一層にし、磁性体１の厚みを最大限に構成したこと
で、シート基材３の量を大きく削減することができるが、更に図２においては、磁性層２の上下面４ａ，４ｂの両面でシート基材３によって磁性体１を保持した構成を示している。図２の構成では、磁性体１の側面が隙間５となっており、シート基材３の使用量を更に減らすことができるだけでなく、磁性シート６に曲げ、たわみなどの負荷が加わった場合においても、隙間５が緩衝層となり磁性体１に応力歪を与えることなく安定した性能を発揮することができる。
【００３０】
また、図３においては、磁性層２の上下面４ａ，４ｂの両面において、シート基材３を排除し、磁性体１の側面部のみにおいてシート基材３を構成した形態を示した。この場合磁性シート６の上下面７ａ，７ｂに磁性層２の上下面４ａ，４ｂが一致する構成となる。従って、磁性シート６の上下面７ａ，７ｂにおいて、磁性体１が露出するため、直接磁性体１の磁性性能を利用する場合に有効となる。
【００３１】
同様に、図４は磁性シート６の一方の面７ａと磁性層２の一方の面４ａが一致した構成を示す。
【００３２】
更に図５においては磁性層２の一方の面４ｂだけで、磁性体１をシート基材３で保持した構成を示した。
【００３３】
本発明の実施の形態においては、磁性シートの上下面７ａ，７ｂ間において、単一の磁性層２を備え、磁性層２が同形状もしくは異形状の複数の磁性体１によって形成され、磁性体１全ての固片が磁性層２の上下面４ａ，４ｂを同時に形成するように配置したので、磁性層２の一方の面４ｂだけで、磁性体１をシート基材３で保持することが可能となる。
【００３４】
この構成においては、シート基材３について、磁性体１間の隙間５が開く方向に曲げる、たわませるなどの加工を施した場合においても、磁性体１に対して大きなストレスが加わることなく、磁性体１本来の磁性性能を発揮することができる。例えば図６で示すような屈曲した形状に対応する形態を実現することも容易となる。
【００３５】
シート基材３としては、樹脂もしくはゴムを好適に用いるが、曲げやたわみ等に対する柔軟性だけではなく、耐熱性、耐湿性等耐候性を考慮した選定をしてもよい。
【産業上の利用可能性】
【００３６】
単一の磁性層が同形状もしくは異形状の複数の磁性体によって形成され、かつ磁性体全ての固片が単一の磁性層上下面を同時に形成するように配置し、シート基材により磁性層を保持した構成とし、磁性機能を磁性体によって最大限に発揮した薄型で高性能な磁性シートを提供する。
【符号の説明】
【００３７】
１、１ａ、１ｂ    磁性体
２、２ａ、２ｂ    磁性層
３    シート基材
４ａ、４ｂ    磁性層の面
５    隙間
６    磁性シート
７ａ、７ｂ    磁性シートの面
【図１】
2011249850.tif 000003
【図２】
2011249850.tif 000004
【図３】
2011249850.tif 000005
【図４】
2011249850.tif 000006
【図５】
2011249850.tif 000007
【図６】
2011249850.tif 000008
【図７】
2011249850.tif 000009
【図８】
2011249850.tif 000010
【図９】
2011249850.tif 000011
【図１０】
2011249850.tif 000012
【図１１】
2011249850.tif 000013
【図１２】
2011249850.tif 000014